(57)【要約】【課題】  垂直及び水平に光視野角を有する映像表示用のスクリーン及びそれを備えるプロジェクションテレビを提供する。【解決手段】  フレネルスクリーン、水平視野角の確保のための第１レンチキュラースクリーン、垂直視野角を確保するための第１手段と外部光によるコントラスト低下を防止するための第２手段とを備える第２レンチキュラースクリーン及び保護スクリーンを含むことを特徴とする映像表示用のスクリーン及びそれを備えるプロジェクションテレビである。ここで、前記第２レンチキュラースクリーン及び前記保護スクリーンは双方の特性を何れも有する単一体または複合スクリーンに置き換えられる。また、前記フレネルスクリーンの背面に前記第１手段と同じ目的のパターンが形成されうる。【選択図】      図５  
2005018070.tif 000002
【特許請求の範囲】
【請求項１】
フレネルスクリーン、レンチキュラースクリーン及び保護スクリーンを含む映像表示用のスクリーンにおいて、
前記レンチキュラースクリーンは、
水平視野角の確保のための第１レンチキュラースクリーンと、
垂直視野角を確保するための第１手段及び外部光によるコントラスト低下を防止するための第２手段を備える第２レンチキュラースクリーンとを含むことを特徴とする映像表示用のスクリーン。
【請求項２】
前記第２レンチキュラースクリーンと前記保護スクリーンは所定間隔に離隔されたことを特徴とする請求項１に記載の映像表示用のスクリーン。
【請求項３】
前記第２レンチキュラースクリーンと前記保護スクリーンとは接着シートを介して接着されたことを特徴とする請求項１に記載の映像表示用のスクリーン。
【請求項４】
前記第２手段は前記第１手段の背面と同じ形に加工されたことを特徴とする請求項１、２または３に記載の映像表示用のスクリーン。
【請求項５】
前記第１手段は、前記第２手段と対向する背面に所定の曲率を有する複数のシリンダー型レンズが水平方向に並んで形成された基板シートであることを特徴とする請求項４に記載の映像表示用のスクリーン。
【請求項６】
前記第２手段はチント処理された光吸収シートであることを特徴とする請求項４に記載の映像表示用のスクリーン。
【請求項７】
前記フレネルスクリーンの背面に所定の曲率を有する複数のシリンダー型レンズが水平に並んで備えられたことを特徴とする請求項４に記載の映像表示用のスクリーン。
【請求項８】
平行光が出射されるように入射光を屈折させるフレネルスクリーンと、
前記フレネルスクリーンを透過した光に対する水平視野角を確保するためのレンチキュラースクリーンと、
前記レンチキュラースクリーン前方に備えられた多機能スクリーンを備えるが、
前記多機能スクリーンは、
背面が前記レンチキュラースクリーンを透過した光に対する垂直視野角を確保しうる所定形態に加工された基板シートと、
前記背面に付着されて外部光によるコントラスト低下を防止する第１手段と、
前記基板シートの前面に付着されて前記外部光の散乱反射を防止する第２手段とを含むことを特徴とする映像表示用のスクリーン。
【請求項９】
前記基板シートの背面に所定の曲率を有する複数のシリンダー型レンズが水平方向に並んで形成されたことを特徴とする請求項８に記載の映像表示用のスクリーン。
【請求項１０】
前記第１手段はチント処理された光吸収シートであることを特徴とする請求項８に記載の映像表示用のスクリーン。
【請求項１１】
前記第２手段は前記基板シートの前面にコーティングされた反射防止膜であることを特徴とする請求項８に記載の映像表示用のスクリーン。
【請求項１２】
前記フレネルスクリーンの背面に所定の曲率を有する複数のシリンダー型レンズが水平に並んで備えられたことを特徴とする請求項８に記載の映像表示用のスクリーン。
【請求項１３】
画像生成手段で生成された映像が投射されるスクリーンを備えるプロジェクションテレビにおいて、
前記スクリーンは、
フレネルスクリーンと、
水平視野角の確保のための第１レンチキュラースクリーンと、
垂直視野角を確保するための第１手段と外部光によるコントラスト低下を防止するための第２手段とを備える第２レンチキュラースクリーンを含むことを特徴とするプロジェクションテレビ。
【請求項１４】
前記第２レンチキュラースクリーン及び前記保護スクリーンは接着シートを介して接着されたことを特徴とする請求項１３に記載のプロジェクションテレビ。
【請求項１５】
前記第２手段は前記第１手段の背面と同じ形に加工されたことを特徴とする請求項１３または１４に記載のプロジェクションテレビ。
【請求項１６】
前記第１手段は前記第２手段と対向する背面に所定の曲率を有する複数のシリンダー型レンズが水平方向に並んで形成された基板シートであることを特徴とする請求項１５に記載のプロジェクションテレビ。
【請求項１７】
前記第２手段はチント処理された光吸収シートであることを特徴とする請求項１５に記載のプロジェクションテレビ。
【請求項１８】
前記フレネルスクリーンの背面に所定の曲率を有する複数のシリンダー型レンズが水平に並んで備えられたことを特徴とする請求項１３に記載のプロジェクションテレビ。
【請求項１９】
画像生成手段から生成された映像が投射されるスクリーンを備えるプロジェクションテレビにおいて、
前記スクリーンは、
フレネルスクリーンと、
水平視野角を確保するためのレンチキュラースクリーンと、
前記レンチキュラースクリーンの前方に備えられた多機能スクリーンを備えることを特徴とするプロジェクションテレビ。
【請求項２０】
前記多機能スクリーンは、
背面が前記レンチキュラースクリーンを透過した光に対する垂直視野角を確保しうる所定形態に加工された基板シートと、
前記背面に付着されて外部光によるコントラスト低下を防止する第１手段と、
前記基板シートの前面に付着されて前記外部光の散乱反射を防止する第２手段とを備えることを特徴とする請求項１９に記載のプロジェクションテレビ。
【請求項２１】
前記基板シートの背面に所定の曲率を有する複数のシリンダー型レンズが水平方向に並んで形成されたことを特徴とする請求項２０に記載のプロジェクションテレビ。
【請求項２２】
前記第１手段はチント処理された光吸収シートであることを特徴とする請求項２０に記載のプロジェクションテレビ。
【請求項２３】
前記第２手段は前記基板シートの前面にコーティングされた反射防止膜であることを特徴とする請求項２０に記載のプロジェクションテレビ。
【請求項２４】
前記フレネルスクリーンの背面に所定の曲率を有する複数のシリンダー型レンズが水平に並んで備えられたことを特徴とする請求項１９または２０に記載のプロジェクションテレビ。
【発明の詳細な説明】
【技術分野】
【０００１】
本発明は映像表示用のスクリーン及びこれを備える映像表示媒体に係り、特に映像が投射されるスクリーンとこれを備えるプロジェクションテレビに関する。
【背景技術】
【０００２】
プロジェクションテレビやビデオプロジェクターのような映像プロジェクションシステムは、特殊製作された小型陰極選管（ＣＲＴ）や液晶表示素子（ＬＣＤ）またはポリマー分散液晶表示素子（ＰＤＬＣ）などの映像ディスプレー手段を使用して映像を発生させ、その映像を投射レンズを用いて大型スクリーンに拡大投射する方式の映像ディスプレーシステムである。このような映像プロジェクションシステムは、最近消費者の欲求を充足させうる大型画面が得られる長所のために、日毎にその需要が増大しつつある。映像プロジェクションシステムは周知の如く、映像をスクリーンに拡大投射する方式によって前面投射型と背面投射型とに区分される。
【０００３】
このような映像プロジェクションシステムは映像源としてスクリーンに向けて光を投射することによってスクリーンの表面に映像を形成してスクリーンの前方に位置する観察者に認知させるように備えられる。観察者が映像を視聴する場合、その位置は前記スクリーンの前方中央が望ましいが、観察者はスクリーンの前方の右側または左側で見ることもでき、スクリーンより多少高い位置で、あるいは多少低い位置で視聴できる。したがって、映像プロジェクションシステムは水平と垂直に広い視野角を有することが望ましい。
【０００４】
従来の技術によるプロジェクションテレビは図１に示されたようにキャビネット１０、キャビネット１０の前面に設けられて映像が結ばれるスクリーン２０、キャビネット１０内に設けられて映像を生成し、これを照射するＣＲＴなどの画像生成手段１１、画像生成手段１１から照射された映像を拡大投射する投射レンズユニット１３、投射レンズユニット１３から入射された映像をスクリーン２０側に反射させる反射鏡１５で構成される。
【０００５】
このようなプロジェクションテレビはスクリーン２０の裏側から映像が投射され、視聴者はスクリーン２０の前方でスクリーン２０に投射された映像を視聴することになる。
【０００６】
図１と共に図２を参照すれば、スクリーン２０は反射鏡１５から入射される光を出射時に平行光になるように屈折させるフレネルスクリーン４１、フレネルスクリーン４１の前方に備えられてフレネルスクリーン４１を透過した映像を水平に広く広げる、水平視野角を広くする第１レンチキュラースクリーン４３、第１レンチキュラースクリーン４３の前方に備えられてフレネルスクリーン４１及び第１レンチキュラースクリーン４３を保護する保護スクリーン５０で構成される。
【０００７】
保護スクリーン５０は第１レンチキュラースクリーン４３を保護する第１基板シート５１と第１基板シート５１の前面に付着された外光反射低減手段５５で構成される。外光反射低減手段５５は外部光、例えば蛍光灯のような光源からの入射光がベース基板シート５５の表面で反射されることを防止する反射防止膜である。
【０００８】
図２に示された従来の技術によるプロジェクションテレビスクリーンの場合、第１レンチキュラースクリーン４３により水平方向視野角はある程度確保できるが、垂直方向視野角が非常に狭い問題点を有している。
【０００９】
図３は、かかる問題点を解消するために提示された従来のスクリーン（特許文献１）の１つである。図３において、参照番号６０はフレネルスクリーンであり、６２はレンチキュラースクリーンである。図３に示されたレンチキュラースクリーン６２は図２に示された第１レンチキュラースクリーン４３と同じものであって、６２ｂはブラックストライプを示す。そして、６２ａはレンズ形状の光入射面を示す。
【００１０】
レンチキュラースクリーン６２と違って図３に示されたフレネルスクリーン６０は、図２に示されたフレネルスクリーン４１と異なる。
【００１１】
具体的に、図３に示されたフレネルスクリーン６０の光入射面６０ａは所定のパターンを有するように加工されている。前記所定のパターンは水平に形成されて相互平行した複数の微小パターンよりなる。前記各微小パターンは凸レンズの一方と同じ形状である。言い換えれば、光入射面６０ａには凸レンズの一方のように凸状の複数の形状が水平に、即ちレンチキュラースクリーン６２の光入射面６２ａに形成されたシリンダー型レンズに垂直な方向に並んで形成されている。
【００１２】
したがって、図３に示されたフレネルスクリーン６０の光入射面６０ａに入射された光は図２に示されたフレネルスクリーン４１の光入射面に入射された光より垂直に広く拡散される。これは、図３に示されたスクリーンの垂直方向視野角が図２に示されたスクリーンの垂直方向視野角よりはるかに広いということを意味する。
【００１３】
ところで、図３に示された従来のスクリーンも次のような理由で垂直方向視野角が制限されるしかない。
【００１４】
即ち、水平方向視野角（以下、水平視野角）のように垂直方向視野角（以下、垂直視野角）を広げるためには図３に示されたフレネルスクリーン６０の光入射面６０ａに形成された各微小パターンの曲率を大きくしなければならないが、スクリーンの構造上、前記各微小パターンの曲率は大きくし難く、よって垂直視野角は制限される。代案として、パワーを大きくすることはできるが、この場合にフレネルスクリーン６０に拡散された光が入射されて映像の鮮明度が低下されるだけでなく、多重像が発生して視聴し難しくなる。
【００１５】
図４は、図３に示された従来のスクリーンが適用された時の垂直及び水平視野角を示すが、参照符号ｇ１は水平方向視聴覚による輝度変化を示す第１グラフであり、ｇ２は垂直方向視聴覚による輝度変化を示す第２グラフである。
【００１６】
第１及び第２グラフｇ１、ｇ２を参照すれば、水平視野角θＨに比べて垂直視野角θＶがはるかに狭いということが分かる。
【特許文献１】特開２０００−１３７２９３号公報（透過型スクリーン（２０００．５．１６））
【特許文献２】米国特許第５、８８０、８８７号
【特許文献３】米国特許第６、４２１、１８１号
【特許文献４】韓国特許公開２０００−１５２２８号公報
【発明の開示】
【発明が解決しようとする課題】
【００１７】
本発明が解決しようとする技術的課題は、前記問題点を改善するためのものであって、水平及び垂直方向何れでも広い視野角が確保でき、コントラスト比を大きくしうる映像表示用のスクリーンを提供するところにある。
【００１８】
本発明が解決しようとする他の技術的課題は、前記スクリーンが備えられたプロジェクションテレビを提供するところにある。
【課題を解決するための手段】
【００１９】
前記技術的課題を達成するために本発明は、フレネルスクリーン、水平視野角の確保のための第１レンチキュラースクリーン、垂直視野角を確保するための第１手段と外部光によるコントラスト低下を防止するための第２手段とを備える第２レンチキュラースクリーン及び保護スクリーンを含む映像表示用のスクリーンを提供する。
【００２０】
前記第２レンチキュラースクリーン及び前記保護スクリーンは所定間隔に離隔されているか、あるいは接着シートを介して接着されている。
【００２１】
前記第２手段は、前記第１手段の背面と同じ形状に加工されている。
【００２２】
前記第１手段は、前記第２手段と対向する背面に所定の曲率を有する複数のシリンダー型レンズが水平方向に並んで形成された基板シートであり、前記第２手段はチント処理された光吸収シートである。
【００２３】
また本発明は、前記技術的課題を達成するために、平行光が出射されるように入射光を屈折させるフレネルスクリーン、前記フレネルスクリーンを透過した光に対する水平視野角を確保するためのレンチキュラースクリーン及び前記レンチキュラースクリーンの前方に備えられた多機能スクリーンを備えるが、前記多機能スクリーンは背面が前記レンチキュラースクリーンを透過した光に対する垂直視野角を確保できる所定形態に加工された基板シートと、前記背面に付着されて外部光によるコントラスト低下を防止する第１手段と、前記基板シートの前面に付着されて前記外部光の散乱反射を防止する第２手段とを含むことを特徴とする映像表示用のスクリーンを提供する。
【００２４】
ここで、前記基板シートの背面に所定の曲率を有する複数のシリンダー型レンズが水平方向に並んで形成されており、前記第１手段はチント処理された光吸収シートであり、前記第２手段は前記基板シートの前面にコーティングされた反射防止膜である。
【００２５】
本発明は前記他の技術的課題を達成するために、画像生成手段から生成された映像が投射されるスクリーンを備えるプロジェクションテレビで前記スクリーンがフレネルスクリーン、水平視野角の確保のための第１レンチキュラースクリーン、垂直視野角を確保するための第１手段と外部光によるコントラスト低下を防止するための第２手段を備える第２レンチキュラースクリーン及び保護スクリーンを含むことを特徴とするプロジェクションテレビを提供する。
【００２６】
ここで、前記第２レンチキュラースクリーンと前記保護スクリーンは接着シートを介して接着されており、前記第２手段は前記第１手段の背面と同じ形状に加工されている。前記第１手段は前記第２手段と対向する背面に所定の曲率を有する複数のシリンダー型レンズが水平方向に並んで形成された基板シートであり、前記第２手段はチント処理された光吸収シートである。
【００２７】
また本発明は、前記他の技術的課題を達成するために、画像生成手段から生成された映像が投射されるスクリーンを備えるプロジェクションテレビで前記スクリーンがフレネルスクリーン、水平視野角を確保するためのレンチキュラースクリーン及び前記レンチキュラースクリーンの前方に備えられた多機能スクリーンを備えることを特徴とするプロジェクションテレビを提供する。
【００２８】
ここで、前記多機能スクリーンは背面が前記レンチキュラースクリーンを透過した光に対する垂直視野角を確保できる所定形態に加工された基板シート、前記背面に付着されて外部光によるコントラスト低下を防止する第１手段及び前記基板シートの前面に付着されて前記外部光の散乱反射を防止する第２手段を備える。
【００２９】
前記基板シートの背面に所定の曲率を有する複数のシリンダー型レンズが水平方向に並んで形成されており、前記第１手段はチント処理された光吸収シートであり、前記第２手段は前記基板シートの前面にコーティングされた反射防止膜である。
【００３０】
このような本発明を用いれば、水平及び垂直視野角何れをも大きくでき、画面のコントラスト比を高められて高画質の映像を視聴できる。
【発明の効果】
【００３１】
本発明によれば、前記第１及び第２レンチキュラースクリーンにより水平視野角と共に垂直視野角も大きく増加させうる。また、第２レンチキュラースクリーンに備えられた外部光吸収シートにより外部から入射された光が大部分吸収されるために、従来よりコントラスト比が高く、輝度も高まる。
【発明を実施するための最良の形態】
【００３２】
以下、本発明の実施例による映像表示用のスクリーン及びこれを備えるプロジェクションテレビを添付した図面を参照して詳細に説明する。この過程で図に示された層や領域の厚さは明細書の明確性のために誇張して示した。
【００３３】
まず、本発明の実施例による映像表示用のスクリーンについて説明する。
【００３４】
図５を参照すれば、本発明の実施例による映像表示用のスクリーンは順次に配列されたフレネルスクリーン４１、第１レンチキュラースクリーン４３、第２レンチキュラースクリーン７０及び保護スクリーン５０を含む。フレネルスクリーン４１は出射光が平行光になるように入射光を屈折させる。したがって、第１レンチキュラースクリーン４３には平行光が入射される。このためにフレネルスクリーン４１が前面にフレネルリッジが形成されている。前記フレネルリッジはＰＭＭＡ原板に紫外線（ＵＶ）硬化樹脂を使用して形成したものであって所定のピッチを有する。これにより、フレネルスクリーン４１は多焦点を形成させて視聴距離を制御することになる。
【００３５】
図示していないが、フレネルスクリーン４１の背面に垂直視野角を広げ易くする所定形状を有する複数のパターンが形成されうる。前記複数のパターンは全て同じパターンであることが望ましく、各パターンは水平に形成されたシリンダー型レンズであることが望ましい。
【００３６】
フレネルスクリーン４１の前方に備えられた第１レンチキュラースクリーン４３はフレネルスクリーン４１からの入射光を水平に拡散させて水平視野角を広げる。第１レンチキュラースクリーン４３は入射面と出射面とに垂直方向に複数のシリンダー型レンズが形成されているために、水平方向に広い視野角を有しつつもカラーシフトは最小化されうる。
【００３７】
第１レンチキュラースクリーン４３の前方に備えられた第２レンチキュラースクリーン７０は第１レンチキュラースクリーン４３により水平視野角が広げられた光の垂直視野角を広げる。このために第２レンチキュラースクリーン７０は透明な第２基板シート７０ａと、第２基板シート７０ａの背面に付着された第１外部光吸収シート７０ｂとで構成される。第２基板シート７０ａの背面には所定形状を有する複数のパターンが形成されている。これらパターンは第１レンチキュラースクリーン４３を通過した光の垂直視野角を広げるためのものである。前記複数のパターンは全て同じ形態であり、水平方向に並んで形成されている。即ち、前記複数のパターンは第１レンチキュラースクリーン４３の背面に水平視野角の確保のために垂直に形成されたシリンダー型レンズに垂直な方向に形成されている。第２基板シート７０ａの背面に形成された前記複数のパターンの各々は、例えば、前方から入射された光が全反射されうる条件を満足する所定の曲率を有するシリンダー型レンズであることが望ましい。
【００３８】
このような第２基板シート７０ａの背面に接着された第１外部光吸収シート７０ｂの厚さは均一であり、その表面の形状は第２基板シート７０ａの背面の形状と同一である。第１外部光吸収シート７０ｂはスクリーン外部から入射される外部光による画面のコントラスト低下を防止するための手段である。したがって、第１外部光吸収シート７０ｂは前記外部光を適切に吸収して外部反射を最小化できるようにチント処理されたことが望ましい。このような第１外部光吸収シート７０ｂが備えられることによって、昼にも画面のコントラスト比を最大化できて輝度低下を最小化できる。
【００３９】
第１外部光吸収シート７０ｂは、光透過率の高い光学用樹脂、例えばＰＥＴ、ＰＣ、ＰＭＭＡまたはそれらの混合物で形成されたことが望ましい。
【００４０】
一方、第２レンチキュラースクリーン７０は多様な方法で形成できるが、例えば二重押出方法や紫外線硬化樹脂を用いる方法で形成されうる。
【００４１】
前記二重押出方法の場合、第２基板シート７０ａと第１外部光吸収シート７０ｂとを同時に押出して付着させる方法であるが、前記押出過程で第１外部光吸収シート７０ｂだけをチント処理する。
【００４２】
前記紫外線硬化樹脂を用いる方法は、第２基板シート７０ａの背面のシリンダー型レンズ形状は紫外線硬化樹脂を用いて構成する方法である。この際、第２基板シート７０ａの背面のシリンダー型レンズが形成される部分だけ集中的にチント処理する。
【００４３】
このような方法を用いれば、第２レンチキュラースクリーン７０の前面と背面との光学的特性調節が容易で所望の輝度及びコントラスト比を有する多様なスクリーンを構成しうる。
【００４４】
第２レンチキュラースクリーン７０の前方に備えられた保護スクリーン５０は、スクリーンを保護しつつ帯電及び外部スクラッチを防止すると共に、外部光の散乱反射を防止するためのものであって、第１基板シート５１、第１基板シート５１の前面にコーティングされた第１反射防止膜５５で構成される。
【００４５】
一方、図５に示したスクリーン構成で、保護スクリーン５０と第２レンチキュラースクリーン７０は一体に構成されるか、接着シートを用いて接着された形に構成されうる。
【００４６】
図６は前者の場合を、図７は後者の場合を、各々示す。図６を参照するに、本発明の実施例によるスクリーンはフレネルスクリーン４１、第１レンチキュラースクリーン４３及び多機能スクリーン８０で構成されうる。多機能スクリーン８０は図５に示した第２レンチキュラースクリーン７０及び保護スクリーン５０の役割を行う。即ち、多機能スクリーン８０はその後方に備えられたスクリーン要素を保護しつつ表面での外部光散乱反射を防止する。このために多機能スクリーン８０は第３基板シート８２の前面に第２反射防止膜８６が付着されており、垂直方向に並んで複数のシリンダー型レンズが形成された第３基板シート８２の背面は第２外部光吸収シート８４で覆われている。第２反射防止膜８６は図５に示した第１反射防止膜５５とあらゆる面で同一であることが望ましい。第２外部光吸収シート８４も図５に示した第１外部光吸収シート７０ｂとあらゆる面で同一であることが望ましい。
【００４７】
また、図７を参照すれば、本発明の実施例によるスクリーンはフレネルスクリーン４１、第１レンチキュラースクリーン４３及び複合スクリーン９０で構成されもする。複合スクリーン９０は図５に示した第２レンチキュラースクリーン７０と保護スクリーン５０が接着シート（図示せず）を介して接着されたものである。それぞれに関する説明は前述したので、ここでは省略する。
【００４８】
図７に示したように、第２レンチキュラースクリーン７０と保護スクリーン５０を接着させた場合、剛性を有するようになって光屈曲や変形などが生じない。合わせて、光拡散フィルムの微細なシワなどが生じないので、より鮮明な映像が提供できる。
【００４９】
図８は、図５に示したスクリーンの平面図であって、便宜上、保護スクリーン５０は図示していない。図８を参照するに、フレネルスクリーン４１に入射された光Ｒ、Ｇ、Ｂは各々平行に進んで第１レンチキュラースクリーン４０の背面、即ち入射面に入射される。第１レンチキュラースクリーン４０に入射された光Ｒ、Ｇ、Ｂは第１レンチキュラースクリーン４０自体の屈折率とその前面の曲率により決まる光屈折特性によって第１レンチキュラースクリーン４０を出る時、水平方向に広く拡散される。即ち、第１レンチキュラースクリーン４０を透過した光Ｒ、Ｇ、Ｂの水平視野角は大きくなる。
【００５０】
図９は、図８を９−９’方向に切開した断面を示す。図９を参照するに、フレネルスクリーン４１と第１レンチキュラースクリーン４０とを順次に通過したＲ、ＧまたはＢは第２レンチキュラースクリーン７０を通過しつつ垂直方向に広く拡散されることが分かる。
【００５１】
このように第２レンチキュラースクリーン７０はそれ自体を通過する光の垂直視野角を大きく増加させる。
【００５２】
図１０は、第２レンチキュラースクリーン７０の作用を示す。図１０において、参照符号Ｌ１及びＬ２は各々スクリーンの外部からの入射光（以下、第１光）及び第１レンチキュラースクリーン４０を通過して水平視野角が十分に大きく確保された光（以下、第２光）を示す。
【００５３】
図１０を参照すれば、第２基板シート７０ａの前面を通じて入射された第１光Ｌ１は第２基板シート７０ａを進めて第１外部光吸収シート７０ｂに入射される。前述したように第２基板シート７０ａの背面は前方からの入射光が全反射されるように所定の曲率を有するシリンダー型レンズとして加工されたところ、その表面に沿って付着された第１外部光吸収シート７０ｂも同じ曲率を有するシリンダー型レンズとなる。したがって、第１外部光吸収シート７０ｂに入射された第１光Ｌ１は第１外部光吸収シート７０ｂの外側面境界の１箇所で全反射された後、第１外部光吸収シート７０ｂ内を進める。次いで、第１光Ｌ１は第１外部光吸収シート７０ｂの外側面境界の他の所で再び全反射された後、入射方向とは反対方向に進める。この過程で第１光Ｌ１は第１外部光吸収シート７０ｂに大部分吸収される。これにより、第２基板シート７０ａを通じて第１外部光吸収シート７０ｂに入射された外部光が第２基板シート７０ａに再反射される場合はなく、あるとしても無視できるほどなので、第２光Ｌ２に及ぼす影響はほとんど無い。
【００５４】
一方、第２光Ｌ２も後から第１外部光吸収シート７０ｂを通じて第２基板シート７０ａに入射されるために、第１外部光吸収シート７０ｂによる第２光Ｌ２の吸収を考慮しうる。
【００５５】
しかし、図１０から分かるように、第２光Ｌ２が第１外部光吸収シート７０ｂを通過する光路は第１光Ｌ１が第１外部光吸収シート７０ｂに入射されて吸収されるまでの光路に比べてきわめて短い。従って、第２光Ｌ２に対する第１外部光吸収シート７０ｂの光吸収率はきわめて低くて第１外部光吸収シート７０ｂが第２光Ｌ２に対して及ぶ影響は無視しても良い。
【００５６】
このように第１外部光吸収シート７０ｂは第２光Ｌ２、即ちＣＲＴのような画像生成手段からの映像に対しては影響を与えずに、第１光Ｌ１、即ち外部から入射される光は大部分吸収するために、第１外部光吸収シート７０ｂが付着された第２レンチキュラースクリーン７０が含まれたスクリーンが適用されたプロジェクションテレビの画面コントラスト比は大きくなり、輝度は従来より高くなる。
【００５７】
次いで、前記本発明の実施例によるスクリーンに基づいて本発明者が実施した実験例について説明する。本実験でコスト節減のために第２レンチキュラースクリーン７０と保護スクリーン５０とが一体型になった多機能スクリーン８０を含む図６に示したスクリーンを使用した。そして、フレネルスクリーン４１の山と山間のピッチは０．０６８ｍｍ、第１レンチキュラースクリーン４３の背面に形成されたシリンダー型レンズのピッチは０．５２ｍｍ、第１レンチキュラースクリーン４３の前面でのブラックストライプ比率は４５％程度とした。また、多機能スクリーン８０の背面に形成された複数のシリンダー型レンズ間のピッチは０．１５５ｍｍとした。またこの実験では比較のために図２に示した従来のスクリーンを使用した。
【００５８】
次の表１は前記実験例に使われた図６に示したスクリーン構成要素に対する諸元を整理したものである。
【００５９】
【表１】
2005018070.tif 000003
前記実験例についての結果は、図１１に示されている。図１１は、垂直視野角による輝度を示す。図１１において、参照符号Ｇ１は従来のスクリーンに対する場合を示す第１グラフであり、Ｇ２は図６に示した本発明のスクリーンについての場合を示す第２グラフである。
【００６０】
図１１の第１及び第２グラフＧ１、Ｇ２を参照すれば、本発明の場合が垂直方向に広い角にかけて十分な輝度が得られる一方、従来の場合は十分な輝度が得られる垂直方向の角が本発明に比べてはるかに狭いということが分かる。
【００６１】
このような事実から本発明の実施例によるスクリーンが適用されたプロジェクションテレビを用いる場合、視聴者が水平及び垂直方向に比較的広い位置でテレビを正常に視聴できることが分かる。
【００６２】
図１２は前述した本発明の実施例によるスクリーンが備えられたプロジェクションテレビ（以下、本発明のテレビ）の構成を概略的に示す。
【００６３】
図１２を参照すれば、本発明のテレビはスクリーン１００に特徴がある。左側の円はスクリーン１００の一部を拡大して示したものである。前記円を参照すれば、スクリーン１００は図５に示したスクリーンと同一であることが分かる。本発明のテレビスクリーン１００は図５に示したスクリーンと同一であることが望ましいが、図６または図７に示したスクリーンであっても良い。
【００６４】
図１２において参照番号１０、１１、１３及び１５は各々ケース、画像生成手段、投射レンズユニット及び反射鏡を示す。
【００６５】
前述したように、本発明の実施例によるスクリーンは水平視野角を広げる第１レンチキュラースクリーンの前方に垂直視野角を広げるための第２レンチキュラースクリーンを備える。このために第２レンチキュラースクリーンの背面に所定の曲率を有する複数のシリンダー型レンズが水平に並んで形成されており、このような背面は均一な厚さで前記複数のシリンダー型レンズと同じ曲率を有する外部光吸収シートで覆われている。
【００６６】
前記説明で多くの事項が具体的に記載されているが、それらは発明の範囲を限定するものより、望ましい実施例の例示として解釈されねばならない。例えば、当業者ならば前述した本発明のスクリーン構成で第１レンチキュラースクリーン及び／または第２レンチキュラースクリーンの基板シートに光拡散剤をさらに添加できるであろう。また、外部光吸収シートから発生しうる熱を除去するためにスクリーンに微小熱伝達装置または冷却装置をも連結しうる。また、第２レンチキュラースクリーンの背面の一部にだけ選択的に外部光吸収シートを備えてもよく、前記背面に形成された複数のシリンダー型レンズのピッチや曲率を一部異ならせても良い。従って、本発明の範囲は説明された実施例によって決まるものではなく、特許請求の範囲に記載された技術的思想によってのみ決まるべきである。
【産業上の利用可能性】
【００６７】
本発明は３次元映像が見られるテレビを始めとして立体映像が必要な分野の映像観測装備に適用しうる。
【図面の簡単な説明】
【００６８】
【図１】従来の技術によるプロジェクションテレビの概略的構成を示す断面図である。
【図２】図１に示されたプロジェクションテレビのスクリーン構成の一例を示す分解斜視図である。
【図３】図１の示されたプロジェクションテレビのスクリーン構成の他の例を示す斜視図である。
【図４】図１に示されたプロジェクションテレビに図３に示されたスクリーンが備えられた場合の垂直及び水平視野角による輝度を示すグラフである。
【図５】本発明の実施例による映像表示用のスクリーン構成を示す分解斜視図である。
【図６】図５に示したスクリーン構成で第２レンチキュラースクリーンと保護スクリーンとが一体に構成された場合を示す斜視図である。
【図７】図５に示したスクリーン構成で第２レンチキュラースクリーンと保護スクリーンとが接合された場合を示す斜視図である。
【図８】図５に示したスクリーン構成の平面図である。
【図９】図８を９−９’方向に切開した断面図である。
【図１０】図５に示したスクリーンの第２レンチキュラースクリーンにより外部光によるコントラスト低下が最小化される原理を説明するための断面図である。
【図１１】従来のスクリーンと図５、図６または図７に示した映像表示用のスクリーンを使用した時の垂直方向光拡散分布特性を示すグラフである。
【図１２】図５に示した映像表示用のスクリーンが備えられたプロジェクションテレビの断面図である。
【符号の説明】
【００６９】
４１    フレネルスクリーン
４３    第１レンチキュラースクリーン
５０    保護スクリーン
５５    第１反射防止膜
７０    第２レンチキュラースクリーン
７０ａ  第２基板シート
７０ｂ  第１外部光吸収シート
【図１】
2005018070.tif 000004
【図２】
2005018070.tif 000005
【図３】
2005018070.tif 000006
【図４】
2005018070.tif 000007
【図５】
2005018070.tif 000008
【図６】
2005018070.tif 000009
【図７】
2005018070.tif 000010
【図８】
2005018070.tif 000011
【図９】
2005018070.tif 000012
【図１０】
2005018070.tif 000013
【図１１】
2005018070.tif 000014
【図１２】
2005018070.tif 000015